(57)【特許請求の範囲】
【請求項１】
互いに連結された座及び背もたれと、座の下方に配置したベースとを備えており、前記ベースで座を支持し、ベースに取り付けた背用フレーム材に背もたれを取り付け、背用フレーム材の弾性変形によって背もたれが後傾することを許容している椅子であって、
前記背用フレーム材は、座の左右外側に位置して側面視で後ろ向きに開口した形状の部分を有しており、前記側面視で後ろ向きに開口した形状の部分の上部後端に、背もたれの背面に回り込む上横長部を一体に設けてこの上横長部に背もたれを取り付けている一方、
背用フレーム材のうち前記側面視で後ろ向きに開口した形状の部分の下部後端に、平面視で左右内向きに延びる下横長部を設け、この下横長部をベースに固定している、
椅子。
【請求項２】
前記座は、正面視で左右長手の下水平部及び上水平部とこれら上下水平フレームを繋ぐ縦長部とを有する座用フレーム材にてベースに支持されている一方、
前記座の左右外側には、側面視で後ろ向き開口した形状でかつ平面視で略平行に延びる複数本の背用フレーム材がそれぞれ配置されており、複数本の背用フレーム材の上部後端が１本の前記上横長部に連続しており、前記下横長部は前記複数本の背用フレーム材の各々に形成されている、
請求項１に記載した椅子。
【発明の詳細な説明】
【技術分野】
【０００１】
本願発明は、背もたれとをフレーム構造体で支持したロッキング椅子に関するものである。
【背景技術】
【０００２】
背もたれを備えた椅子において、着座した人が背もたれに凭れ掛かると背もたれが後傾するロッキング機能を持たせる手段として、背もたれや座が取り付いているフレーム構造体の弾性を利用することが行われている。その一例が特許文献１に記載されている。
【０００３】
すなわち特許文献１において、椅子のフレームの構造体は、床に載る前後長手の左右の下水平部と、下水平部の前端から上向きに立ち上がった左右前足部と、左右前足部の上端から後方に延びる上水平部と、下水平部の後端から立ち上がった左右後足部とを備えており、左右の上水平部に座を取り付けると共に、左右の上水平部の後端を上向きに立ち上げて下横長部にて一体に連結し、この下横長部を背もたれの下部背面に連結する一方、左右の後足部の上端と上横長部で接続してこの上横長部を背もたれの中途高さ部の背面に連結しており、主として後足部が弾性に抗して後傾動することによって背もたれを後傾動させている。
【０００４】
また、ガスシリンダ方式の脚支柱を有するいわゆる回転椅子において、座及び背もたれの支持構造をフレーム方式とすることが例えば特許文献２に記載されている。また、本願出願人は、フレーム構造の椅子の改良案を例えば特許文献３で開示した。
【特許文献１】特公平８−１５４４６号公報
【特許文献２】特表平９−５０２６３１号公報
【特許文献３】特願２００５−５７７２０号
【発明の開示】
【発明が解決しようとする課題】
【０００５】
着座した人が背もたれに凭れ掛かった状態での安楽性を向上させるには、背もたれができるだけ大きく後傾動すると共に座もできるだけ大きく前進することが有効であるが、特許文献１の場合、主として後足部が弾性変形するに過ぎないため、背もたれの後傾量と座の前進量とは僅かであり、このため、安楽性を向上させることに限度があるという問題があった。また、特許文献２の椅子は、座と背もたれとが全体として前後スライドするに過ぎず、部材の撓みを利用したロッキング機能はあまり期待できないと言える。
【０００６】
これに対して本願出願人の先願に係る特許文献３の椅子では、フレーム材を大きく撓み変形させたり大きく姿勢変形させたりすることができることにより、背もたれの後傾角度と座の前進量とを大きくすることができ、このためフレーム構造の椅子でありながらロッキング状態での安楽性を向上できる利点がある。
【０００７】
ところで、特許文献１はフレーム材の曲がり変形を利用して椅子にロッキング性を付与しているものであり、その場合、フレーム材は長さが長いほど曲がり変形させやすくなる。しかし、特許文献１のものはフレーム材が側面視で撓む（曲がる）ことを利用してロッキング性を持たせているに過ぎないため、特許文献２のような回転椅子に転用するとフレーム材の長さを長くすることができないことから、十分なロッキング性能を確保できないという問題がある。
【０００８】
本願発明はこのような現状に鑑み成されたもので、コンパクトで簡単でありながら高いロッキング性を確保できるフレーム構造の椅子を提供することを課題とするものである。
【課題を解決するための手段】
【０００９】
本願発明の椅子は、基本構成として、互いに連結された座及び背もたれと、座の下方に配置したベースとを備えており、前記ベースで座を支持し、ベースに取り付けた背用フレーム材に背もたれを取り付け、背用フレーム材の弾性変形によって背もたれが後傾することを許容している。
【００１０】
そして請求項１の発明では、前記背用フレーム材は、座の左右外側に位置して側面視で後ろ向きに開口した形状の部分を有しており、前記側面視で後ろ向きに開口した形状の部分の上部後端に、背もたれの背面に回り込む上横長部を一体に設けてこの上横長部に背もたれを取り付けている一方、背用フレーム材のうち前記側面視で後ろ向きに開口した形状の部分の下部後端に、平面視で左右内向きに延びる下横長部を設け、この下横長部をベースに固定している。
【００１１】
請求項２の発明では、請求項１において、前記座は、正面視で左右長手の下水平部及び上水平部とこれら上下水平フレームを繋ぐ縦長部とを有する座用フレーム材にてベースに支持されている一方、前記座の左右外側には、側面視で後ろ向き開口した形状でかつ平面視で略平行に延びる複数本の背用フレーム材がそれぞれ配置されており、複数本の背用フレーム材の上部後端が１本の前記上横長部に連続しており、前記下横長部は前記複数本の背用フレーム材の各々に形成されている。
【発明の効果】
【００１２】
本願発明によると、背用フレーム材は、側面視で後ろ向きに開口する形状に大きく曲がっていてその長さが長いことと、後部下端に下横長部が設けられていることにより、着座した人が背もたれに凭れ掛かったときの荷重で大きく変形することが許容される。特に、下横長部を設けたことにより、下横長部はその軸心回りにねじられることが許容されるため、背用フレーム材は一層変形しやすくなっている。このため、本願発明によると、背用フレーム材をベースに取り付けた構造でありながら、背もたれの後傾角度と座の前進量とを大きくして高いロッキング性能を確保することが可能になる。
【００１３】
請求項２のように構成すると、背用フレーム材は左右それぞれ複数本で構成されているため、強度的にも優れている。
【００１４】
更に、座の左右外側に背用フレーム材を配置した場合、着座した人が背もたれにもたれかかると、左右の背用フレーム材はその間隔が広がるように変形する傾向を呈するが、請求項２のように構成すると、複数本の背用フレーム材が左右に並列配置されていることによって全体の剛性が高くなるため、背用フレーム材の広がり変形を防止又は著しく抑制できる。
【００１５】
また、請求項２の構成では、座の左右外側にそれぞれ複数本の背用フレーム材が配置されているため、外側に位置したフレーム材と内側に位置したフレーム材とは長さが異なっており、このため、外側のフレーム材と内側のフレーム材との変形の仕方が違っており、両者が互いに規制し合うような関係になっており、これにより、背もたれの後傾角度の増加率よりも弾性抵抗の増加率が増大する傾向を呈して、ロッキング状態での凭れ心地をより一層向上できる。
【発明を実施するための最良の形態】
【００１６】
次に、本願発明の実施形態を図面に基づいて説明する。本実施形態はいわゆる回転椅子に適用している。図１は斜視図、図２は正面図、図３はフレーム構造を示す平面図、図４は動きを示す側面図である。
【００１７】
椅子は、一体に連結された座１及び背もたれ２と、これらを支持する脚３とを備えている。脚３は、平面視で放射方向に延びる複数本の枝足４とガスシリンダからなる高さ調節自在な脚支柱５とを備えており、枝足４の先端にはキャスター６を設けている。脚支柱４の上端には下向き開口箱状のベース７を固着している。
【００１８】
座１と背もたれ２とは、合成樹脂や合板等の基板１ａ，２ａにクッション材１ｂ，２ｂを張った構造になっており、座１及び背もたれ２の基板１ａ，２ａは一体に連続している（別部材に構成して金具類で固定してもよいし、或いは、蝶番やピン等の連結具で相対回動可能に連結してもよい）。背もたれ２は、着座した人の腰のあたりの高さ位置の屈曲点（折り目）８を中心にして側面視で屈曲し得るようになっている。
【００１９】
背もたれ２の屈曲を可能ならしめる方法としては、図４に示すように基板２ａを上下に分離して両者を蝶番９やピンで連結したり、基板２ａを樹脂のような柔軟性を有する素材製として、薄肉状のヒンジ部を形成したりしたらよい。なお、背もたれ２は、屈曲点８を境にして上方の部分を主部、下方の部分を補助部と分けて表示することも可能である。
【００２０】
座１は、ベース７に取り付けた座用フレーム材１０に取り付けられている。座用フレーム材１０は、正面視で左右長手の下水平部１０ａとその両端に曲げ形成した縦長部１０ｂとその両端に形成した左右の上水平部１０ｃとで略クランク状に形成されており、下水平部１０ａはベース７に固定するか又は下軸受け材１１で相対回動可能に取り付けられており、上水平部１０ｃは座１の下面に上軸受け材１２で相対回動可能に取り付けられている。従って、座用フレーム材１０が下水平部１０ａを中心にして回動することにより、座１は前後にスライドし得る。
【００２１】
背もたれ２は、正面視及び平面視で左右にずれて配置されたインナー背用フレーム材１３とアウター背用フレーム材１４とによってベース７に支持されている。なお、背用フレーム材１３，１４及び座用フレーム材１０は鋼材等の金属材料からなっている。
【００２２】
インナー背用フレーム材１３及びアウター背用フレーム材１４は、座１の左右外側において正面視で上下方向に立ち上がる支柱部１３ａ，１４ａと、左右支柱部１３ａ，１４ａの上端に連続した状態で略水平姿勢で後方に延びる上前後長手部１３ｂ，１４ｂと、左右支柱部１３ａ，１４ａの下端に連続していると共に後方に延びる前後長手で側面視水平状のロアー部１３ｃ，１４ｃと、ロアー部１３ｃ，１４ｃの後端から左右内向きに延びる下横長部１３ｄ，１４ｄとを備えており、更に、下横長部１３ｄ，１４ｄの先端には前向き部１３ｅ，１４ｅを折り曲げ形成して、この前向き部１３ｅ，１４ｅをベース７に溶接等によって固着している。
また、インナー背用フレーム材１３及びアウター背用フレーム材１４は、座１の左右外側に位置した支柱部１３ａ，１４ａと上前後長手部１３ｂ，１４ｂとロアー部１３ｃ，１４ｃとが全体として側面視で後ろ向きに開口した形状になっている。
【００２３】
そして、インナー背用フレーム材１３及びアウター背用フレーム材１４における上前後長手部１３ｂ，１４ｂの後端は、背もたれ２の上端寄り部位の背面に沿って延びる１本の上横長部１５に連続しており、この上横長部１５を背もたれ２の背面に軸受け材１６で相対回動可能に連結している。上前後長手部１３ｂ，１４ｂと上横長部１５とでアッパー部が構成されており、本実施形態では、インナー背用フレーム材１３とアウター背用フレーム材１４とのアッパー部で上横長部１５を共用していることになる。
【００２４】
なお、本実施形態では上横長部１５はアウター背用フレーム材１４に曲げ形成しているが、インナー背用フレーム材１３に曲げ形成しても良いし、インナー背用フレーム材１３及びアウター背用フレーム材１４とは別体にして溶接等で両フレーム材１３，１４の前後長手部１３ｂ，１４ｂに固着しても良い。
【００２５】
図２及び図３に明示するように、アウター背用フレーム材１４とインナー背用フレーム材１３とは、上横長部１５を除いて平面視又は正面視で略平行に延びている。
【００２６】
以上の構成において、着座した人が背もたれ２に凭れ掛かると、背もたれ２の上部に大きなモーメントが掛かるため、図４に一点鎖線で示すように、背もたれ２は、背用フレーム材１３，１４を弾性変形させて、屈曲点８を中心にして大きく後傾する。背もたれ２のうち屈曲点８よりも上方の部分が後傾すると、背もたれ２のうち屈曲点８よりも下方の部分は相対的に前向き動する傾向を呈し、このため、座１に前向き動させる力が作用し、このため、座２は前進動のみするか（座用フレーム１０を固定している場合）、又は、座用フレーム材１０が前傾方向に回動して座１も前進動する。本実施形態では、座１は前進動によってその前端が下降する（すなわち前傾する）傾向を呈する。
【００２７】
そして、背用フレーム材１３，１４は側面視コ字状であることにより、全長が長くなっているため側面視形状が変わるように撓み変形し易くなっており、かつ、ロアー部１３ｃ，１４ｃに左右長手の下横長部１３ｄ，１４ｄが連続していることにより，下横長部１３ｄ，１４ｄはその軸心回りにねじられるような作用（トーション作用）を受け、このため、背用フレーム材１３，１４は背もたれ２の後傾角度を大きくする方向により大きく変形する。特に、下横長部１３ｄ，１４ｄに前向き部１３ｅ，１４ｅを設けると、下横長部１３ｄ，１４ｄはその全長にわたって軸心回りにねじり作用を受けるため、より好適である。
【００２８】
そして、背用フレーム材は内外２本あるが、両者は長さが相違することから変形の仕方も相違しており、このため、互いに規制し合う状態で変形することになる。換言すると、両背用フレーム材１３，１４は、一方の変形に対して他方は抵抗として作用することになり、２本の背用フレーム材１３，１４の弾性変形の総和が背もたれ２の後傾動及び座１の前進動に対する抵抗になるが、両背用フレーム材１３，１４は変形の程度が大きくなればなるほど互いに規制し合うことになり、このため、背もたれ２の後傾角度の増加率よりも背用フレーム材１３，１４の全体としての弾性復元力の増加率が大きくなり、その結果、背もたれ２はストンという感じで後傾せずに適度の反力を持って後傾することになり、この面からもロッキング時のもたれ心地を向上できる。
【００２９】
本実施形態は、脚支柱にガスシリンダを使用した回転椅子に適用したが、ベースはフレーム構造の脚に固定するなどしても良い（脚の上部をベースと成しても良い。）。また、本願発明は劇場用椅子のような固定式椅子にも適用できる。また、背用フレーム材は、側面視及び平面視で丸みを持った状態（例えば側面視後ろ向き開口Ｕ字状）に曲げることも可能である。なお、本実施形態で提示したフレームの構造は、座と背もたれとを分離して、背もたれのみが後傾動するタイプの椅子にも適用できる。
【図面の簡単な説明】
【００３０】
【図１】実施形態に係る椅子の斜視図である。
【図２】正面図である。
【図３】フレーム構造を示す平面図である。
【図４】動きを示す側面図である。
【符号の説明】
【００３１】
１  座
２  背もたれ
３  脚
７  ベース
８  屈曲点（屈曲許容部）
１０  座用フレーム材
１３  インナー背用フレーム材
１４  アウター背用フレーム材
１５  アッパー部を構成する上横長部
【図１】
0004792288.tif 000002
【図２】
0004792288.tif 000003
【図３】
0004792288.tif 000004
【図４】
0004792288.tif 000005